(57)【要約】【課題】    本考案の靴は、むくみや浮腫により足に変形のある高齢者や介護を必要とする人に履きやすく、しかもフィット性のよい靴を提供する。【解決手段】    本考案の靴は、開口部を有する靴の甲被の内腰部に環状部（Ｄ環）を設け、この環状部（Ｄ環）に緊締バンドを挿通し折り返して、緊締バンドの両端を固定しないように設け、前記緊締バンドの端部に面ファスナーを設けて、ループを有するパイル地である甲被の外腰部とフックを有する面ファスナーを介して止着可能とした靴である。さらに、甲被の内腰部と爪先部の甲被を伸縮性のある素材を用い足のフィット性を高めた靴である。【選択図】    図１
0003139890.tif 000002
【実用新案登録請求の範囲】
【請求項１】
縦長に開口部を有する甲被と、甲被の内腰部に設けられた環状部と、前記環状部に挿通され折り返された自由端を有する緊締バンドと、前記甲被下面に当接された靴底部とからなり、前記緊締バンドは、面ファスナーを介して甲被の外腰部と着脱可能であることを特徴とする靴。    
【請求項２】
靴甲被の外腰部はループを有するパイル地で構成され、前記緊締バンドの端部にはフックを有する面ファスナーが設けられ、ループを有するパイル地で構成された甲被の外腰部と付着することを特徴とする請求項１記載の靴。
【請求項３】
前記緊締バンドの表面はループを有するパイル地で構成され、前記緊締バンドを折り重ねた時、緊締バンドの表面の端部に設けられたフックを有する面ファスナーと付着することを特徴とする請求項１または２記載の靴。
【請求項４】
前記緊締バンドの端部には把持部が設けられていることを特徴とする請求項１から３いずれか１項記載の靴。
【請求項５】
靴甲被の先部および内腰部は、伸縮性のある布材で構成されていることを特徴とする請求項１または４いずれか１項記載の靴。
【考案の詳細な説明】
【技術分野】
【０００１】
本考案は、高齢者や介護を必要とする人が快適に履くための靴に関する。
【背景技術】
【０００２】
一本の甲バンドで甲部を緊締するタイプの靴は、甲バンドの一端が固定されているので、バンドを止める位置が決まり、バンドの長さは調節できない。（特許文献１）
また、一本の甲バンドで甲部を緊締するタイプの靴で、甲バンドが折り返し可能な靴についても、甲バンドの一端が固定されているので、ある程度のバンドの調節しかできないのが現状である。（特許文献２）
【特許文献１】特開２００７−８２９４７号公報
【特許文献２】特開２００７−１３９５１２号公報
【考案の開示】
【考案が解決しようとする課題】
【０００３】
介護を必要とする人の中で、むくみや浮腫により腫れて足に変形のある人は、通常の靴は履けないケースが生じている。靴による締め付けや甲部ホールドの不安定さを解消するために、甲バンドでの緊締する構造を改良したり、甲の素材を改良する必要がある。
【０００４】
本考案の靴は、介護を必要とする人が抱える足の問題点に対応する甲バンドの緊締構造を改良し、甲被に伸縮性のある素材を使用する事により、快適に履用してもらうことを目的とする。
【課題を解決するための手段】
【０００５】
本考案の靴は、縦長に開口部を有する甲被と、甲被の内腰部に設けられた環状部と、前記環状部に折り返して挿通された自由端を有する緊締バンドと、前記甲被下面に当接された靴底部とからなり、前記緊締バンドは面ファスナーを介して甲被の外腰部と着脱可能であることを特徴とする靴である。
【０００６】
本考案の靴は、靴甲被の外腰部はループを有するパイル地で構成されており、靴甲被の外腰部と付着する緊締バンドの端部にはフックを有する面ファスナーが設けられていることを特徴とする。
【０００７】
本考案の靴に用いる緊締バンドの表面は、ループを有するパイル地で構成されており、緊締バンドを折り返して使用した時に、緊締バンドの表面端部に設けられたフックを有する面ファスナーと付着することを特徴とする。緊締バンドを折り返して所望の位置で止めることができるので、バンドの長さを調整することが出来る。
【０００８】
本考案の靴に用いる緊締バンドの甲被と付着する方の端部に把持部が設けられていることを特徴とする。前記把持部を設けるのは、バンドを止着するとき掴みやすくするためである。
【０００９】
本考案の靴は、靴甲被の先部と内腰部には伸縮性のある素材を用いることを特徴とする。
むくみや浮腫により腫れて足に変形のある人にとって、靴甲被の先部と内腰部には伸縮性のある素材を用いることは、靴による締め付けや甲部ホールドの不安定さを解消する効果をもたらす。
【００１０】
靴甲被の全面を、ループを有するパイル地にする必要はなく、緊締バンドを付着する外腰部の甲被のみで良い。
従って、環状部を取り付けている内腰部の甲被や先部の甲被には、伸縮性の布材を使用することができ、靴による締め付けと履用者の足が左右むくみの違いがあっても緊締バンドの長さの調整により、甲周りの調整が可能なため、同じサイズの靴で対応することができる。(図３、図４)
また、靴甲被の外腰部に全面ループを有するパイル地を使用しているので、足の甲周りに応じて、緊締バンドを交差して止めることもできる。（図５）
【００１１】
足の甲部を緊締するバンドは、折り返しの形状であるが、従来のように緊締バンドの端部を縫い付けず、自由端としているので、外腰部の起毛素材の好みの位置に自由に付着することができる。緊締バンド自体の長さは履用者の甲周りに応じて調節することができる。
【考案の効果】
【００１２】
本考案の靴は、履き口が甲部まで開口しているので、足が入れやすい。そして甲被の内腰部から先部において、ストレッチ素材を用いているので、むくみや浮腫により足の変形のある人は、靴の履用による生じる足の締め付けが軽減される。
【００１３】
本考案の靴は、緊締バンドの両端部がフリーであり、折り返してバンドの長さが調整自在であるので、足の甲部が高くても調整が可能であり、左右の甲周りが極端に異なる人でも対応可能であり、甲部ホールドの安定性を向上することができる。
【００１４】
本考案の靴は、靴甲被の外腰部に全面にループを有するパイル地を使用しているので、緊締バンドを好みの位置で止めることができる。
【考案を実施するための最良の形態】
【００１５】
考案を実施するための最良の形態について、図面を参照しながら説明する。
図１は、本考案の靴の外腰部側からみた斜視図である。
図２は、本考案の靴の緊締バンドがフリーな状態の内腰部側から見た斜視図である。
図３は、本考案の靴の緊締バンドを重ねて一文字に止めた時の斜め上から見た図である。
図４は、図３において緊締バンドを長めに調整して止めた時の図である。
図５は、本考案の靴の緊締バンドを交差して止めた時の斜め上から見た図である。
図６は、本考案の靴に用いる緊締バンドを表及び裏から見た平面図である。
図７は、従来の緊締バンドの一端が固定された図である。
【００１６】
１．甲被の部品の準備
甲被の内腰部７と爪先部９に伸縮性の布材を準備し、甲被の外腰部８にループを有するパイル地からなる起毛素材を準備して、これらを刃型で一定形状に裁断し甲被の部品を準備した。また、甲被材以外の部品として月型、縁布、踵紐、先芯、Ｄ環、Ｄ環を甲被に連結するための布製部品などを準備した。環状部には、具体的にはＤ環を使用する。
【００１７】
２．緊締バンドの作成
ループを有するパイル素材(表材)と裏材を準備し、両素材を裁断し、縫合してバンドとなし、このバンド部品の周縁に縁布を縫い付けした。バンドの表面にはバンドの止める方と反対側の端部にフックのついた面ファスナー５’を縫付け、また、バンドの裏面にはバンドを甲被に止める方の端部にフックのついた面ファスナー５を縫付けた。そして、バンドの止める方の端部に把持部６を縫い付けて図６に示すような緊締バンド１を作成した。
このバンドは、表面にはループを有するパイル素材が使用されているので、バンドを折り重ねた場合、バンドの裏面に設けられた面ファスナー５’が表材に好みの位置で付着することができる。また、バンド裏面に設けられたフックのついた面ファスナー５とループを有するパイル素材からなる甲被２と止着することができる。
【００１８】
３．靴甲被の作成
１．で準備した靴甲被の部品を定められた手順により縫製した。そして、緊締バンド１をＤ環に挿通し、Ｄ環との連結部４を靴甲被に縫付け、２.で作成した緊締バンド１をＤ環に挿通して靴甲被２を作成した。
【００１９】
４．靴の作成
２．で作成した靴甲被２をラストに吊り込み、別工程で成形した靴底を接着剤を用いて底付けした後、ラストを型抜きし、図２に示すような靴１０を得た。
この靴１０は、履き口が大きく開口しているため、足の浮腫みのある人でも履きやすい靴である。甲被内側部７に設けられたＤ環３に挿通された緊締バンド１の両端が固定されていないため、図３のように緊締バンド１を重ねて一文字にとめることもでき、図５のように緊締バンド１を交差して止めることもできる。また、図２のように緊締バンド１を長く調整した状態でも止めることができる。
【図面の簡単な説明】
【００２０】
【図１】本考案の靴の外腰部側から見た斜視図
【図２】本考案の靴の緊締バンドがフリーな状態の内腰部側から見た斜視図
【図３】本考案の靴の緊締バンドを重ねて一文字に止めた時の斜め上から見た図
【図４】図３の状態で緊締バンドを長めに調整して止めた時の図
【図５】本考案の靴の緊締バンドを交差して止めた時の斜め上から見た図
【図６】本考案の靴に用いる緊締バンドの表及び裏から見た平面図
【図７】従来の一本バンドタイプの靴の斜視図
【符号の説明】
【００２１】
１．緊締バンド
２．靴甲被
３．環状部（Ｄ環）
４．環状部（Ｄ環）の甲被との連結部
５．面ファスナー
５’． 面ファスナー
６．緊締バンドの把持部
７．甲被の内腰部
８．甲被の外腰部
９．甲被の爪先部
１０．靴
【図１】
0003139890.tif 000003
【図２】
0003139890.tif 000004
【図３】
0003139890.tif 000005
【図４】
0003139890.tif 000006
【図５】
0003139890.tif 000007
【図６】
0003139890.tif 000008
【図７】
0003139890.tif 000009